(57)【要約】【課題】乗場機器が取り付けられて壁本体に支持される意匠部材と壁本体との間の隙間を簡単に再調整できるエレベータの乗場機器の取付装置を得ることを目的とする。【解決手段】意匠パネル４１Ｂが表面に装着されるエレベータの乗場４０の壁本体４１Ａにディスプレイ３０を取り付けるためのエレベータの乗場機器の取付装置１において、乗場４０に開口するように壁本体４１Ａに形成された配設穴４１ａ内に配設穴４１ａの奥行き方向に移動可能に挿入され、配設穴４１ａの奥行き方向に延在する長穴７ａ，７ｂが形成された機器位置調整体７と、機器位置調整体７を、長穴７ａ，７ｂを介して壁本体に固定／固定解除自在に固定するビス１０と、ディスプレイ３０が取り付けられ、機器位置調整体７の配設穴４１ａの開口側に着脱自在に装着される意匠プレート１１と、を備えている。【選択図】図５
2011190092.tif 000002
【特許請求の範囲】
【請求項１】
仕上げ部材が表面に装着されるエレベータの乗場の壁本体に乗場機器を取り付けるためのエレベータの乗場機器の取付装置であって、
上記乗場に開口するように上記壁本体に形成された配設穴内に上記配設穴の奥行き方向に移動可能に挿入され、上記配設穴の奥行き方向に延在する長穴が形成された機器位置調整体と、
上記機器位置調整体を、長穴を介して上記壁本体に固定／固定解除自在に固定する締結部材と、
上記乗場機器が取り付けられ、上記機器位置調整体の上記配設穴の開口側に着脱自在に装着される意匠部材と、
を備えることを特徴とするエレベータの乗場機器の取付装置。
【請求項２】
上記配設穴内に奥行き方向に延在するように配設され、上記機器位置調整体の上記配設穴の奥行き方向の移動をガイドするガイド手段を備えることを特徴とする請求項１記載のエレベータの乗場機器の取付装置。
【発明の詳細な説明】
【技術分野】
【０００１】
この発明は、例えば、広告などを表示する液晶モニタなどのエレベータの乗場機器を乗場の壁本体に取り付けるのに好適なエレベータの乗場機器の取付装置に関する。
【背景技術】
【０００２】
従来のエレベータシステムは、エレベータの乗場の壁に設置され、広告などを表示するディスプレイを備えている（例えば、特許文献１参照）。
【０００３】
特許文献１には詳細に記載されていないが、この種のディスプレイは、映像を表示する液晶パネルなどの表示部、及び表示部の表示画面が、前面に露出されるようにして表示部を収納する外装ケースを備える。
【０００４】
ここで、乗場の壁は、建物の躯体を構成する壁本体、及び壁本体の表面を覆うように壁本体に装着されるタイルや意匠パネルなどの仕上げ部材により構成される。
そして、意匠性の観点から、ディスプレイは、壁本体の厚み方向に奥行き方向を一致させ、乗場に向けて開口するように壁本体に形成した配設穴を利用して、外装ケースが乗場に露出されないように以下のように壁本体に取り付けられることが多い。
【０００５】
ディスプレイは、枠内に表示窓が構成される平板状の枠体に作製され、表（おもて）面が意匠面を構成する意匠プレートの裏面に取り付けられる。このとき、表示画面が表示窓に露出されるようにディスプレイが意匠プレートに取り付けられ、意匠プレートの外縁部は、外装ケースの外側に配置されている。さらに、ディスプレイは、外装ケースの背面側を配設穴に挿入固定されて、壁本体に取り付けられる。このとき、意匠プレートは、外縁部が壁本体の表面と相対する方向から見て、配設穴を囲繞する大きさとなっており、ディスプレイは、乗場に露出されることなく壁本体に取り付けられる。
【０００６】
エレベータシステムを構築する際、乗場の意匠に関わる仕上げ部材は、傷などをおわせないように最後に壁本体の表面に装着される。
ここで、仮に、意匠プレートの裏面の外縁部側を壁本体の表面に当接させてディスプレイを設置した場合、仕上げ部材は、意匠プレートの外縁部を囲繞するように、壁本体の表面に取り付けることになる。このため、外装ケースは隠されるものの、意匠プレートと仕上げ部材の間の境界が目立って意匠性が損なわれる。
【０００７】
そこで、仕上げ部材は、ディスプレイを、意匠プレートと壁本体の表面との間に、仕上げ部材の厚みに対応する隙間を開けて設置した後、意匠プレートと壁本体の表面との間に形成される隙間に入りこむように壁本体に取り付けられるのが一般的である。
例えば、ディスプレイは、予め、一端を配設穴内にビスなどで固定されて、外装ケースと配設穴の隙間を通るように配設穴の開口側に延在し、他端側が配設穴の開口から仕上げ部材の厚みだけ延出される複数の取付金具に取り付けられる。例えば、意匠プレートの裏面を取付金具の他端面に当接させ、意匠プレート及び意匠プレートに当接される取付金具の部位に予め形成しておいた下穴に、タッピングねじをねじこむことにより、ディスプレイが壁本体に取付金具を介して固定される。
【０００８】
そして、仕上げ部材を、意匠プレートと壁本体の表面との間に形成される隙間に入りこむように壁本体に装着することで、意匠性を損なうことなく、ディスプレイ及び仕上げ部材を壁本体に装着することができる。
【先行技術文献】
【特許文献】
【０００９】
【特許文献１】特開２００６−２３２５２８号公報
【発明の概要】
【発明が解決しようとする課題】
【００１０】
従来のエレベータシステムにおいて、ディスプレイの設置後に、例えば、設計変更により壁本体への装着を予定していた仕上げ部材を、厚みの異なる他の仕上げ部材に変える場合、意匠プレートと壁本体の表面との間の隙間を変更しなければならい。つまり、仕上げ部材の厚みに対応させて、取付金具の配設穴からの延出量を変えなければならない。取付金具の配設穴からの延出量を変えるには、新たに配設穴の適当な位置にねじ孔を形成して、取付金具の固定位置を変更する必要がある。このように、意匠プレートと壁本体との間の隙間を変更するには、多大の労力を費やさなければならない。
【００１１】
この発明は上記の課題を解決するためになされたものであり、乗場機器が取り付けられて壁本体に支持される意匠部材と壁本体との間の隙間を簡単に再調整できるエレベータの乗場機器の取付装置を得ることを目的とする。
【課題を解決するための手段】
【００１２】
この発明は、仕上げ部材が表面に装着されるエレベータの乗場の壁本体に乗場機器を取り付けるためのエレベータの乗場機器の取付装置であって、乗場に開口するように壁本体に形成された配設穴内に配設穴の奥行き方向に移動可能に挿入され、配設穴の奥行き方向に延在する長穴が形成された機器位置調整体と、機器位置調整体を、長穴を介して壁本体に固定／固定解除自在に固定する締結部材と、乗場機器が取り付けられ、機器位置調整体の配設穴の開口側に着脱自在に装着される意匠部材と、を備えている。
【発明の効果】
【００１３】
この発明に係るエレベータの乗場機器の取付装置によれば、意匠部材が固定される機器位置調整体が、締結部材を緩めたときに、配設穴の奥行き方向に移動可能となる。このため、乗場機器が装着される意匠部材と壁本体の表面との間の隙間は、締結部材を緩め、機器位置調整体を配設穴の奥行き方向に移動させるという簡単な作業を行うだけで調整できる。従って、乗場機器を設置した後に、例えば、設計変更により壁本体への装着を予定していた仕上げ部材を、厚みの異なる他の仕上げ部材に変えるのに伴って発生する意匠部材と壁本体の表面との間の隙間の再調整作業の労力を著しく軽減できる。
【図面の簡単な説明】
【００１４】
【図１】この発明の一実施の形態に係るエレベータの乗場機器の取付装置の分解斜視図である。
【図２】この発明の一実施の形態に係るエレベータの乗場機器の取付装置において、被嵌合部材が取り付けられた意匠プレートを意匠プレートの裏面側から見た斜視図である。
【図３】図２のＡ方向から要部上面図である。
【図４】この発明の一実施の形態に係るエレベータの乗場機器の取付装置を用いてディスプレイを乗場の壁本体に装着したエレベータの乗場まわりの正面図である。
【図５】図４のＶ−Ｖ矢視断面図である。
【図６】図５のＶI−ＶＩ矢視断面図である。
【図７】図４において、ディスプレイを意匠プレートの表面側から見た斜視図である。
【図８】図４において、ディスプレイを意匠プレートの裏面側から見た要部斜視図である。
【図９】この発明の一実施の形態に係るエレベータの乗場機器の取付装置を用いてディスプレイを乗場の壁本体に装着する作業を説明する図であり、固定ボックスが配設穴に装着された状態を示している。
【図１０】この発明の一実施の形態に係るエレベータの乗場機器の取付装置を用いてディスプレイを乗場の壁本体に装着する作業を説明する図であり、固定ボックスのガイド筒部に機器位置調整体が挿入された状態を示している。
【発明を実施するための形態】
【００１５】
以下、この発明を実施するための最良の形態について、図面を参照して説明する。
【００１６】
図１はこの発明の一実施の形態に係るエレベータの乗場機器の取付装置の分解斜視図、図２はこの発明の一実施の形態に係るエレベータの乗場機器の取付装置において、被嵌合部材が取り付けられた意匠プレートを意匠プレートの裏面側から見た斜視図、図３は図２のＡ方向から見た要部上面図である。
【００１７】
図１〜図３において、エレベータの乗場機器の取付装置１は、後述するエレベータの乗場の壁本体に形成した配設穴を利用して、乗場機器としてのディスプレイ（図示せず）を壁本体に固定支持するものであり、固定ボックス２と、固定ボックス２を壁本体に固定するビス５と、固定ボックス２に嵌められる機器位置調整体７と、機器位置調整体７を配設穴の内壁に固定／固定解除自在に固定する締結部材としてのビス１０と、ディスプレイが装着される意匠部材としての意匠プレート１１と、ディスプレイを意匠プレート１１の裏面に固定するディスプレイ固定金具１３と、意匠プレート１１を機器位置調整体７に着脱自在に固定するプレート固定金具１６と、を備えている。
【００１８】
固定ボックス２は、所定の幅及び高さの矩形形状を外形形状とし、所定の長さを有する筒体に作製されたガイド手段としてのガイド筒部３、ガイド筒部３の一端の高さ方向両側の縁部から互いに相反する方向に所定の長さだけ延出される矩形形状のツバ部４と、を備えている。ガイド筒部３の内形は、機器位置調整体７の外形より僅かに大きくなっている。また、ツバ部４のそれぞれの角部近傍には、取付穴４ａが形成されている。
【００１９】
ガイド筒部３の幅方向の両側の壁部には、幅方向に相対する２対の壁露出穴３ａ，３ｂが高さ方向に位置をずらして形成されている。壁露出穴３ａ，３ｂは、長軸方向がガイド筒部３の長さ方向に一致する長穴である。
【００２０】
このとき、２対の壁露出穴３ａ，３ｂのうちの１対の壁露出穴３ａが、ガイド筒部３の高さ方向の一方の内壁面から所定の第１高さの位置に形成され、もう一対の壁露出穴３ｂが、ガイド筒部３の高さ方向の一方の内壁面から所定の第２高さの位置に形成されている。
【００２１】
機器位置調整体７は、所定の幅及び高さの矩形形状を外形形状とし、所定の長さを有する筒体に作製されている。機器位置調整体７の幅方向の両壁には、長軸方向が長さ方向に一致し、幅方向に相対する２対の長穴７ａ，７ｂが形成されている。２対の長穴７ａ，７ｂのうちの１対の長穴７ａが、機器位置調整体７の高さ方向の一方の外壁面から所定の第１高さの位置に形成され、もう一対の長穴７ｂが、機器位置調整体７の高さ方向の一方の外壁面から所定の第２高さの位置に形成されている。これにより、機器位置調整体７の高さ方向の一方の外壁面が、ガイド筒部３の高さ方向の一方の内壁面に載置されるように、機器位置調整体７をガイド筒部３に嵌めたときに、壁露出穴３ａ，３ｂのガイド筒部３の機器位置調整体７の載置面からの高さ位置が、長穴７ａ，７ｂのガイド筒部３の機器位置調整体７の載置面からの高さ位置に一致する。
【００２２】
意匠プレート１１は、所定の幅及び高さの外形形状を有する平板状の枠体に構成され、表示窓１１ａが枠内に構成されている。
【００２３】
プレート固定金具１６は、機器位置調整体７の高さ方向の両内壁面の幅方向の中央部かつ長さ方向の一端近傍の部位に、互いに先端が相対するように突設された棒状の嵌合部材１７と、意匠プレート１１の裏面の幅方向の中央部、かつ高さ方向の両端近傍の部位に突設され、嵌合部材１７に嵌合される被嵌合部材１８と、を備えている。
【００２４】
嵌合部材１７は、断面円形に作製されている。
被嵌合部材１８は、長尺のばね鋼を材料としてＵ字状に作製され、Ｕ字の側片を構成する部位が、一対の挟持部１８Ａ，１８Ｂにより構成されている。
一対の挟持部１８Ａ，１８Ｂは、図３に示されるように、先端側の所定領域、及び中間部の所定領域を除き、互いの間に略隙間をあけることなく延在されている。
【００２５】
一対の挟持部１８Ａ，１８Ｂの先端側は、先端に向かって漸次互いの間の隙間が広くなる口開き形状に構成されている。また、一対の挟持部１８Ａ，１８Ｂの中間部の所定の領域は、互いに相対する面が凹面となるように湾曲された湾曲部１８ａ，１８ｂを構成している。嵌合部材１７が湾曲部１８ａ，１８ｂの間に挿入されるように一対の挟持部１８Ａ，１８Ｂを弾性変形させた場合には、湾曲部１８ａ，１８ｂが、嵌合部材１７を大きな力で挟持するようになっている。
【００２６】
そして、被嵌合部材１８は、一対の挟持部１８Ａ，１８Ｂが、意匠プレート１１の幅方向に配列されるように、一対の挟持部１８Ａ，１８Ｂの連結部側を意匠プレート１１の裏面に取り付けられている。
【００２７】
ディスプレイ固定金具１３は、相対する一対の側片１４Ａ，１４Ｂ、及び側片１４Ａ，１４Ｂ間を連結する底部１４Ｃを有するコ字状の支持部１４と、一対の側片１４Ａ，１４Ｂの端部から互いに先端が離間する方向に側片１４Ａ，１４Ｂに垂直に延出されるフランジ部１５と、を備える。
【００２８】
次いで、ディスプレイ及び意匠パネルの壁本体への取付構造について説明する。
図４はこの発明の一実施の形態に係るエレベータの乗場機器の取付装置を用いてディスプレイを乗場の壁本体に装着したエレベータの乗場まわりの正面図、図５は図４のＶ−Ｖ矢視断面図、図６は図５のＶＩ−ＶＩ矢視断面図である。図７は図４において、ディスプレイを意匠プレートの表面側から見た斜視図、図８は図４において、ディスプレイを意匠プレートの裏面側から見た要部斜視図である。なお、図７及び図８は、意匠プレート、ディスプレイ、及びディスプレイ固定金具に特化して図示している。
【００２９】
図４及び図５において、エレベータの乗場４０の壁４１には乗場出入り口４５を構成する三方枠４６が据え付けられている。また、詳細は後述の表示部３０Ａを有するディスプレイ３０が、三方枠４の一方の縦枠に隣接する壁４１の乗場４０側に乗場機器の取付装置１を用いて壁４１に取り付けられている。このとき、表示部３０Ａの表示画面が、乗場４０に露出されるように、ディスプレイ３０は壁４１に取り付けられている。
【００３０】
壁４１は、建物の躯体を構成する壁本体４１Ａ、及び壁本体４１Ａの表面を覆うように壁本体４１Ａに装着される仕上げ部材としての意匠パネル４１Ｂにより構成される。
そして、図５に示されるように、水平方向に所定の幅で所定の高さを有する断面矩形の配設穴４１ａが、壁本体４１Ａの厚さ方向に奥行き方向を一致させて、三方枠４６の一方の縦枠近傍の壁本体４１Ａの部位の表面に開口するように設けられている。また、配設穴４１ａの高さ方向の両側の開口縁部の全域から高さ方向に互いに相反する方向に延在する一対の取付凹部４１ｂが、ツバ部４の厚さに対応する深さで壁本体４１Ａの表面に形成されている。取付凹部４１ｂの延在方向の長さは、ツバ部４のガイド筒部３からの延出長さより長くなっている。また、引き込み穴４７が、配設穴４１ａと壁本体４１Ａの裏側に構成されている昇降路４８とを連通するように設けられている。
【００３１】
固定ボックス２のガイド筒部３が、長さ方向の一端を乗場４０側に向け、幅方向及び高さ方向を、配設穴４１ａの幅方向及び高さ方向に一致させて配設穴４１ａに嵌められている。そして、固定ボックス２は、ツバ部４が取付凹部４１ｂの表面に当接するまで、配設穴４１ａの奥行き方向に押し込まれている。
そして、ビス５が、取付穴４ａに挿通されて壁本体４１Ａに螺着されて、ツバ部４が壁本体４１Ａに強固に固定される。これにより、ガイド筒部３が奥行き方向に延在するように配設穴４１ａ内に配設された状態で、固定ボックス２が壁本体４１Ａに支持される。
【００３２】
また、意匠パネル４１Ｂが、配設穴４１ａを除いた壁本体４１Ａ及びツバ部４の表面全域に装着されている。
【００３３】
また、機器位置調整体７が、幅方向及び高さ方向をガイド筒部３の幅方向及び高さ方向に一致させ、ガイド筒部３の高さ方向の一方の内壁面に載置されるようにガイド筒部３に嵌められている。このとき、機器位置調整体７に形成された長穴７ａ，７ｂは、ガイド筒部３に形成された壁露出穴３ａ，３ｂと相対する位置に配置されている。
【００３４】
そして、図６に示されるように、機器位置調整体７に取り付けられた嵌合部材１７が、意匠プレート１１に取り付けられた被嵌合部材１８の湾曲部１８ａ，１８ｂの間に嵌められて、意匠プレート１１が、配設穴４１ａの開口側で、機器位置調整体７に着脱自在に固定されて、配設穴４１ａを塞口している。これにより、意匠プレート１１は、壁本体４１Ａの表面と相対する方向から見て、外縁部側の部位が配設穴４１ａを囲繞するように配置されている。そして、意匠プレート１１の外縁部側の部位が、意匠パネル４１Ｂとの間に略隙間なく配置されるように、機器位置調整体７のガイド筒部３の長さ方向の配置位置、言い換えれば、配設穴４１ａの奥行き方向の配置位置が設定されている。
【００３５】
また、長穴７ａ，７ｂの長軸方向のおおよその中間部と相対する配設穴４１ａの壁面には、ねじ孔（図示せず）が形成されている。そして、ビス１０が長穴７ａ，７ｂと壁露出穴３ａ，３ｂに挿通されてねじ孔に螺合され、機器位置調整体７が配設穴４１ａに固定されている。
【００３６】
また、ディスプレイ３０が、ディスプレイ固定金具１３を用いて意匠プレート１１の裏面に取り付けられている。
図７及び図８において、ディスプレイ３０は、液晶パネルなどの表示部３０Ａ、及び表示部３０Ａの表示画面が前面に露出されるように表示部３０Ａを収納する外装ケース３０Ｂを備える。外装ケース３０Ｂは、所定の幅及び高さで所定の長さを有する箱体に形成され、前面に表示部３０Ａの表示画面を露出させる開口部が形成されている。なお、ディスプレイ固定金具１３の一対の側片１４Ａ，１４Ｂの壁面間の距離が、外装ケース３０Ｂの高さに対応し、側片１４Ａ，１４Ｂの底部１４Ｃからの延出長さが、外装ケース３０Ｂの長さに対応している。
【００３７】
そして、ディスプレイ３０は、表示部３０Ａの表示画面が表示窓１１ａに露出されるように意匠プレート１１の裏面に配置されている。ディスプレイ固定金具１３は、支持部１４と意匠プレート１１との間に外装ケース３０Ｂが挟まれるように、フランジ部１５を意匠プレート１１の裏面に当接させて配置される。そして、詳細には説明しないが、ビスが、フランジ部１５に挿通されて意匠プレート１１に螺合され、ディスプレイ３０は、ディスプレイ固定金具１３によって意匠プレート１１に固定されている。
【００３８】
また、ディスプレイ３０に電源を供給する電源線や表示画面に表示させる画像信号を送信する通信線などの各種配線５０が、引き込み穴４７を介して機器位置調整体７内に引き込まれてディスプレイ３０に接続されている。
以上のように、ディスプレイ３０及び意匠パネル４１Ｂが、壁本体４１Ａに装着されている。
【００３９】
次いで、ディスプレイ３０及び意匠パネル４１Ｂの壁本体４１Ａへの取付方法について説明する。
図９はこの発明の一実施の形態に係るエレベータの乗場機器の取付装置を用いてディスプレイを乗場の壁本体に装着する作業を説明する図であり、固定ボックスが配設穴に装着された状態を示している。図１０はこの発明の一実施の形態に係るエレベータの乗場機器の取付装置を用いてディスプレイを乗場の壁本体に装着する作業を説明する図であり、固定ボックスのガイド筒部に機器位置調整体が挿入された状態を示している。
【００４０】
作業者は、まず、図８に示されるように、ディスプレイ３０を、表示部３０Ａの表示画面が表示窓１１ａに露出されるように意匠プレート１１の裏面に配置する。次いで、作業者は、支持部１４と意匠プレート１１との間に外装ケース３０Ｂが挟まれ、フランジ部１５が意匠プレート１１の裏面に当接させるようにディスプレイ固定金具１３を配置する。そして、フランジ部１５を意匠プレート１１に図示しないビスを用いて固定し、ディスプレイ３０を意匠プレート１１に固定する。
【００４１】
次いで、作業者は、図９に示されるように、ガイド筒部３を長さ方向の他端側から配設穴４１ａに挿入し、ツバ部４を取付凹部４１ｂの表面に押し当て取付穴４ａと相対する壁本体４１Ａの部位にねじ孔（図示せず）を形成する。さらに、作業者は、ビス５をねじ孔に螺合し、固定ボックス２を壁本体４１Ａに固定する。これにより、ガイド筒部３が配設穴４１ａの奥行き方向に延在した状態で、壁本体４１Ａに支持される。
【００４２】
次いで、作業者は、図１０に示されるように、機器位置調整体７の幅方向及び高さ方向をガイド筒部３の幅方向及び高さ方向に一致させて、機器位置調整体７を長さ方向の他端からガイド筒部３に挿入し、ガイド筒部３への挿入部が、ガイド筒部３の高さ方向の下側の内壁面上に載置されるように固定ボックス２を配置する。さらに、作業者は、配設穴４１ａの奥に向かって押し込む。
ここで、機器位置調整体７の幅方向両側の外壁面の間の距離が、ガイド筒部３の幅方向両側の外壁面の間の距離より僅かに大きく、ガイド筒部３は、配設穴４１ａの奥行き方向に延在している。これにより、機器位置調整体７のガイド筒部３への挿入部は、下方及び幅方向への移動を規制され、機器位置調整体７は、ガイド筒部３にガイドされて配設穴４１ａの奥行き方向に移動される。
【００４３】
また、壁露出穴３ａ，３ｂのそれぞれのガイド筒部３の機器位置調整体７の載置面からの高さ位置が、長穴７ａ，７ｂのそれぞれのガイド筒部３の機器位置調整体７の載置面からの高さ位置に一致するので、長穴７ａ，７ｂは、壁露出穴３ａ，３ｂを介して壁本体４１Ａと相対する。
【００４４】
そして、作業者は、機器位置調整体７の配設穴４１ａの奥行き方向の位置を、機器位置調整体７に取り付けられた嵌合部材１７と、意匠プレート１１に取り付けられた被嵌合部材１８とを嵌合させたときに、意匠プレート１１の外縁部側の部位と壁本体４１Ａの表面との間に、意匠プレート１１の厚みに対応する隙間が形成されるように設定する。
【００４５】
次いで、長穴７ａ，７ｂの長軸方向のおおよその中間部と壁露出穴３ａ，３ｂを介して相対する配設穴４１ａの壁面に、ねじ孔４１ｃを形成する。作業者は、図５に示されるように、ビス１０を長穴７ａ，７ｂと壁露出穴３ａ，３ｂに挿通させてねじ孔４１ｃに螺合し、機器位置調整体７を配設穴４１ａに固定する。
なお、ビス１０を緩めることで、機器位置調整体７は配設穴４１ａに対する固定が解除され、機器位置調整体７は、長穴７ａ，７ｂの長さ方向、言い換えれば、配設穴４１ａの奥行き方向に移動自在となり、配設穴４１ａの奥行き方向の位置を調整可能となる。
【００４６】
次いで、各種配線５０を、引き込み穴４７を介して機器位置調整体７内に引き込み、ディスプレイ３０に接続しておく。
【００４７】
次いで、意匠プレート１１に取り付けられた被嵌合部材１８が、機器位置調整体７に取り付けられた嵌合部材１７と相対するように意匠プレート１１の裏面を配設穴４１ａに相対させる。さらに、ディスプレイ３０が機器位置調整体７の一端側に挿入されるように、また、嵌合部材１７が口開き状に形成された挟持部１８Ａ，１８Ｂの先端間に挿入されるように意匠プレート１１を押し込む。意匠プレート１１が所定量押し込まれたところで、嵌合部材１７が挟持部１８Ａ，１８Ｂの湾曲部１８ａ，１８ｂの間に嵌められ、意匠プレート１１が機器位置調整体７に固定される。以上により、ディスプレイ３０の壁本体４１Ａへの取り付けが終了する。
【００４８】
なお、意匠プレート１１を所定以上の力で乗場４０側に引っ張ると、被嵌合部材１８と嵌合部材１７の間の嵌合が解除され、ディスプレイ３０を壁本体４１Ａから引き出せる。
【００４９】
次いで、作業者は、図５に示されるように、意匠パネル４１Ｂを壁本体４１Ａの表面に装着する。このとき、意匠パネル４１Ｂが、意匠プレート１１と壁本体４１Ａの隙間にも入り込むように、壁本体４１Ａの表面に装着して作業を終了する。
【００５０】
この発明のエレベータの乗場機器の取付装置１は、ガイド筒部３が、配設穴４１ａ内に奥行き方向に延在するように配設されている。そして、機器位置調整体７が、ガイド筒部３にガイドされて奥行き方向に移動するようにガイド筒部３に嵌められている。また、機器位置調整体７には、配設穴４１ａの奥行き方向に延在する長穴７ａ，７ｂが形成され、壁露出穴３ａ，３ｂが、長穴７ａ，７ｂと長穴７ａ，７ｂと相対する配設穴４１ａの壁面との間に位置するガイド筒部３の所定部位に形成されている。
【００５１】
さらに、ビス１０が、長穴７ａ，７ｂ、及び壁露出穴３ａ，３ｂを介して壁本体４１Ａに螺着され、機器位置調整体７が壁本体４１Ａに固定されている。なお、ビス１０を緩めることで、機器位置調整体７の壁本体４１Ａへの固定が解除される。また、ディスプレイ３０が裏面に取り付けられた意匠プレート１１が、配設穴４１ａの開口側で、機器位置調整体７に着脱自在に取り付けられている。
【００５２】
意匠プレート１１が固定される機器位置調整体７は、ビス１０を緩めたときに配設穴４１ａの奥行き方向に移動可能であるので、意匠プレート１１と壁本体４１Ａとの間の隙間は、ビス１０を緩め、機器位置調整体７を配設穴４１ａの奥行き方向に移動させることで、簡単に調整できる。従って、ディスプレイ３０を設置した後に、設計変更により壁本体４１Ａへの装着を予定していた意匠パネル４１Ｂを、厚みの異なる他の意匠パネルに変える必要が生じた場合でも、意匠プレート１１と壁本体４１Ａの表面との間の隙間を調整するときの労力を著しく軽減できる。
【００５３】
また、機器位置調整体７をガイドするガイド筒部３が、壁本体４１Ａに設けられているので、機器位置調整体７を、所望の姿勢から傾けることなく配設穴４１ａの奥行き方向に移動させることができる。ここで、壁本体４１Ａに配設穴４１ａを、平坦に精度よく形成することは難しく、配設穴４１ａに直接機器位置調整体７を挿入したときに、機器位置調整体７が、所望の姿勢から傾いてしまうことがある。このまま、ビス１０で機器位置調整体７を固定すると、意匠プレート１１が、壁本体４１Ａの表面に対して平行でなくなるので、機器位置調整体７の傾き調整を行う必要があるが、ガイド筒部３を配設穴４１ａに設ければ、このような調整作業が必要なくなる。
【００５４】
なお、この実施の形態では、機器位置調整体７が嵌められるガイド筒部３を有する固定ボックス２を壁本体４１Ａに設けるものとして説明したが、固定ボックス２を省略し、機器位置調整体７を配設穴４１ａに直接挿入して配置してもよい。
【００５５】
また、意匠部材は、平板状の枠体に構成された意匠プレート１１であるものとして説明したが、意匠部材の形状は、取り付けられる乗場機器の形状に応じて、適宜設定したものを用いればよい。
【００５６】
また、ディスプレイ３０を意匠プレート１１の裏面に取り付けるものとして説明したが、ディスプレイ３０の外装ケースが意匠性を有するものであれば、ディスプレイ３０を意匠プレートの表面に取り付けてもよい。この場合、意匠プレートは、矩形平板状に形成し、外装ケース３０Ｂの背面を意匠プレートの表面に当接させて配置したディスプレイ３０に対し、意匠プレートに裏面側から挿通させた複数のネジを、ディスプレイ３０の外装ケース３０Ｂに螺着するなどして、意匠プレート１１に固定すればよい。
【００５７】
また、機器位置調整体７は、外形形状が矩形形状の筒状に作製されるものとして説明したが、このものに限定されない。機器位置調整体は、乗場４０に開口するように壁本体４１Ａに形成された配設穴４１ａ内に配設穴４１ａの奥行き方向に移動できるように挿入可能な形状であり、配設穴４１ａに挿入配置された状態で、配設穴４１ａの奥行き方向に延在するように長穴７ａ，７ｂが形成されていれば、特に形状は問わない。
【００５８】
また、ガイド手段は、外形形状を矩形形状とするガイド筒部３であるものとして説明したが、このものに限定されず、例えば、断面Ｌ字状をなす一対のガイド部材により構成してもよい。この場合、一対のガイド部材は、長手方向を配設穴の奥行き方向に一致させ、一対のガイド部材の一片の先端が相対するように、他片を配設穴４１ａの幅方向の両側の壁面に固定すればよい。これにより、一対のガイド部材の一片上に載置した機器位置調整体７は、配設穴４１ａの奥行き方向にガイド手段によりガイドされて移動可能になる。
【００５９】
また、乗場機器の取付装置１は、ディスプレイ３０を壁本体４１Ａに取り付けるものとして説明したが、乗場機器としてのホールランタンなどを壁本体４１Ａに取り付ける場合などにも適用できる。
【符号の説明】
【００６０】
１  乗場機器の取付装置、３  ガイド筒部（ガイド手段）、７  機器位置調整体、７ａ，７ｂ  長穴、１０  ビス（締結部材）、１１  意匠プレート（意匠部材）、３０  ディスプレイ（乗場機器）、４０  乗場、４１Ａ  壁本体、４１Ｂ  意匠パネル（仕上げ部材）、４１ａ  配設穴。
【図１】
2011190092.tif 000003
【図２】
2011190092.tif 000004
【図３】
2011190092.tif 000005
【図４】
2011190092.tif 000006
【図５】
2011190092.tif 000007
【図６】
2011190092.tif 000008
【図７】
2011190092.tif 000009
【図８】
2011190092.tif 000010
【図９】
2011190092.tif 000011
【図１０】
2011190092.tif 000012